(57)【要約】      （修正有）【課題】周囲環境による光軸ずれを抑制でき、これにより伝送効率の低下を抑制することが可能な光コネクタを提供する。【解決手段】光コネクタ１は、光信号を出射する複数の出射端２２ａが列方向に配列された第１の光ファイバ４Ａを保持する第１の保持部材３Ａと、複数の出射端２２ａに対応して設けられた複数のレンズ部４０ａを有する第１のレンズ部材４Ａと、列方向に設けられ、周囲環境による第１の光ファイバ４Ａの出射端２２ａと第１のレンズ部材４Ａのレンズ部４０ａとの間の列方向の位置ずれを規制する一対の規制部３５ａ、４５ａと、を備える。【選択図】図１
2014182341.tif 000002
【特許請求の範囲】
【請求項１】
光信号を入出射する複数の入出射端が列方向に配列された光学部品を保持する保持部材と、
前記複数の入出射端に対応して設けられた複数のレンズ部を有するレンズ部材とを備え、
前記列方向に設けられ、周囲環境による前記光学部品の前記入出射端と前記レンズ部材の前記レンズ部との間の前記列方向の位置ずれを規制する一対の規制部と、
を備えた光コネクタ。
【請求項２】
前記一対の規制部は、前記保持部材及び前記レンズ部材の一方に設けられた一対の規制穴部と、前記保持部材及び前記レンズ部材の他方に設けられた一対の規制軸部とを備え、前記規制穴部に前記規制軸部を嵌合することで前記列方向の位置ずれを規制する、請求項１に記載の光コネクタ。
【請求項３】
前記光学部品の前記複数の入出射端を有する面と前記レンズ部材の前記複数の入出射端を有する面に対向する面とは、光学用接着剤により接着され、
前記一対の規制穴部と前記一対の規制軸部とは、前記光学用接着剤又は前記光学用接着剤とは異なる種類の接着剤により接着された、請求項２に記載の光コネクタ。
【請求項４】
前記光学部品の前記複数の入出射端は、一列に配列され、
前記一対の規制部は、前記入出射端と同一の列上に設けられた請求項１から３のいずれか１項に記載の光コネクタ。
【請求項５】
前記光学部品の前記複数の入出射端は、列方向及び行方向に配列され、
前記一対の規制部は、前記入出射端と同一の列上に設けられた請求項１から３のいずれか１項に記載の光コネクタ。
【請求項６】
前記光学部品の前記複数の入出射端は、列方向及び行方向に配列され、
前記一対の規制部は、前記入出射端の列間に設けられた請求項１から３のいずれか１項に記載の光コネクタ。
【請求項７】
前記光学部品は、端面を前記入出射端とする複数の光ファイバである、請求項１から６のいずれか１項に記載の光コネクタ。
【請求項８】
前記光学部品は、前記複数の入出射端として複数の発光部又は受光部を有する光素子である、請求項１から６のいずれか１項に記載の光コネクタ。
【請求項９】
光信号を出射する複数の出射端が列方向に配列された第１の光学部品を保持する第１の保持部材と、
前記複数の出射端に対応して設けられた複数のレンズ部を有する第１のレンズ部材と、
光信号が入射する複数の入射端が列方向に配列された第２の光学部品を保持する第２の保持部材と、
前記複数の入射端に対応して設けられた複数のレンズ部を有する第２のレンズ部材と、
前記列方向に設けられ、周囲環境による前記第１の光学部品の前記出射端と前記第１のレンズ部材の前記レンズ部との間の前記列方向の位置ずれを規制する一対の第１の規制部と、
前記列方向に設けられ、周囲環境による前記第２の光学部品の前記入射端と前記第２のレンズ部材の前記レンズ部との間の前記列方向の位置ずれを規制する一対の第２の規制部と、
を備えた光コネクタ。
【請求項１０】
前記第１及び第２の保持部材を位置決めする位置決め部材を、さらに備えた請求項９に記載の光コネクタ。
【発明の詳細な説明】
【技術分野】
【０００１】
本発明は、光ファイバ、光素子等の光学部品を光学的に結合する光コネクタに関する。
【背景技術】
【０００２】
従来、レンズと光導波路とを位置合わせする位置決め部を備えた光ファイバが提案されている（例えば、特許文献１参照。）。
【０００３】
この光コネクタは、複数のコアを有する光導波路にＶ字状の溝からなる一対のテーパ状位置決め溝を形成し、複数のレンズを有するレンズアレイに一対の山形状の嵌合用突起を形成し、テーパ状位置決め溝に嵌合用突起を嵌合させることで、それぞれのコアにレンズの光軸を位置合わせする構成を有する。位置合わせ後は、場所は特定されていないが、光導波路とレンズアレイとを紫外線硬化型の接着剤で固定するとしている。
【先行技術文献】
【特許文献】
【０００４】
【特許文献１】特開２００８−８９８７９号公報
【発明の概要】
【発明が解決しようとする課題】
【０００５】
しかし、従来の光コネクタによると、光導波路とレンズアレイとの間で線膨張係数や吸湿率が異なる場合、周囲環境により光導波路とレンズアレイとの間に光軸ずれが発生し、伝送効率が低下するおそれがある。
【０００６】
したがって、本発明の目的は、周囲環境による光軸ずれを抑制でき、これにより伝送効率の低下を抑制することが可能な光コネクタを提供することにある。
【課題を解決するための手段】
【０００７】
本発明の一態様は、上記目的を達成するため、以下の光コネクタを提供する。
【０００８】
［１］光信号を入出射する複数の入出射端が列方向に配列された光学部品を保持する保持部材と、前記複数の入出射端に対応して設けられた複数のレンズ部を有するレンズ部材とを備え、前記列方向に設けられ、周囲環境による前記光学部品の前記入出射端と前記レンズ部材の前記レンズ部との間の前記列方向の位置ずれを規制する一対の規制部と、を備えた光コネクタ。
［２］前記一対の規制部は、前記保持部材及び前記レンズ部材の一方に設けられた一対の規制穴部と、前記保持部材及び前記レンズ部材の他方に設けられた一対の規制軸部とを備え、前記規制穴部に前記規制軸部を嵌合することで前記列方向の位置ずれを規制する、前記［１］に記載の光コネクタ。
［３］前記光学部品の前記複数の入出射端を有する面と前記レンズ部材の前記複数の入出射端を有する面に対向する面とは、光学用接着剤により接着され、前記一対の規制穴部と前記一対の規制軸部とは、前記光学用接着剤又は前記光学用接着剤とは異なる種類の接着剤により接着された、前記［２］に記載の光コネクタ。
［４］前記光学部品の前記複数の入出射端は、一列に配列され、前記一対の規制部は、前記入出射端と同一の列上に設けられた前記［１］から［３］のいずれかに記載の光コネクタ。
［５］前記光学部品の前記複数の入出射端は、列方向及び行方向に配列され、前記一対の規制部は、前記入出射端と同一の列上に設けられた前記［１］から［３］のいずれかに記載の光コネクタ。
［６］前記光学部品の前記複数の入出射端は、列方向及び行方向に配列され、前記一対の規制部は、前記入出射端の列間に設けられた前記［１］から［３］のいずれかに記載の光コネクタ。
［７］前記光学部品は、端面を前記入出射端とする複数の光ファイバである、前記［１］から［６］のいずれかに記載の光コネクタ。
［８］前記光学部品は、前記複数の入出射端として複数の発光部又は受光部を有する光素子である、前記［１］から［６］のいずれかに記載の光コネクタ。
［９］光信号を出射する複数の出射端が列方向に配列された第１の光学部品を保持する第１の保持部材と、前記複数の出射端に対応して設けられた複数のレンズ部を有する第１のレンズ部材と、光信号が入射する複数の入射端が列方向に配列された第２の光学部品を保持する第２の保持部材と、前記複数の入射端に対応して設けられた複数のレンズ部を有する第２のレンズ部材と、前記列方向に設けられ、周囲環境による前記第１の光学部品の前記出射端と前記第１のレンズ部材の前記レンズ部との間の前記列方向の位置ずれを規制する一対の第１の規制部と、前記列方向に設けられ、周囲環境による前記第２の光学部品の前記入射端と前記第２のレンズ部材の前記レンズ部との間の前記列方向の位置ずれを規制する一対の第２の規制部と、を備えた光コネクタ。
［１０］前記第１及び第２の保持部材を位置決めする位置決め部材を、さらに備えた前記［９］に記載の光コネクタ。
【発明の効果】
【０００９】
本発明によれば、周囲環境による光軸ずれを抑制でき、これにより伝送効率の低下を抑制することが可能になる。
【図面の簡単な説明】
【００１０】
【図１】図１は、本発明の第１の実施の形態に係る光コネクタの概略の構成例を示し、（ａ）は断面図、（ｂ）は（ａ）のＡ−Ａ線矢視図である。
【図２】図２は、本発明の第２の実施の形態に係る光コネクタの概略の構成例を示す断面図である。
【図３】図３は、本発明の第３の実施の形態に係る光コネクタの概略の構成例を示す断面図である。
【図４】図４（ａ）〜（ｃ）は、それぞれ規制部の変形例１を示し、図１（ｂ）に対応する図である。
【図５】図５は、規制部の変形例２を示し、図１（ｂ）に対応する図である。
【発明を実施するための形態】
【００１１】
以下、本発明の実施の形態について図面を参照して説明する。なお、各図中、実質的に同一の機能を有する構成要素については、同一の符号を付してその重複した説明を省略する。
【００１２】
［実施の形態の要約］
本発明の実施の形態は、光信号を入出射する複数の入出射端が列方向に配列された光学部品を保持する保持部材と、前記複数の入出射端に対応して設けられた複数のレンズ部を有するレンズ部材とを備えた光コネクタにおいて、前記列方向に設けられ、周囲環境による前記光学部品の前記入出射端と前記レンズ部材の前記レンズ部との間の前記列方向の位置ずれを規制する一対の規制部を備えた光コネクタである。
【００１３】
上記光学部品は、複数の光ファイバでも複数の光素子でもよい。光素子は、複数の出射端（入出射端）としての発光部を有するレーザ、発光ダイオード等の発光素子や、複数の入射端（入出射端）としての受光部を有するフォトダイオード等の受光素子である。発光素子は、光信号を発光する発光面と反対側に実装面を有する面発光素子でもよい。受光素子は、光信号を受光する受光面と反対側に実装面を有する面受光素子でもよい。周囲環境とは、温度、湿度等の環境をいう。
【００１４】
［第１の実施の形態］
図１は、本発明の第１の実施の形態に係る光コネクタの概略の構成例を示し、（ａ）は断面図、（ｂ）は（ａ）のＡ−Ａ線矢視図である。なお、図１（ｂ）は、光コネクタの出射側の構成を示すが、光コネクタの入射側の構成も出射側と同様に構成されているので、図示を省略する。
【００１５】
この光コネクタ１は、図１（ａ）に示すように、光信号を出射する複数の出射端２２ａが列方向Ｂ（図１（ｂ）参照）に配列された複数の第１の光ファイバ２Ａを保持する第１の保持部材３Ａと、複数の出射端２２ａに対応して設けられた複数のレンズ部４０ａを有する第１のレンズ部材４Ａと、光信号が入射する複数の入射端２２ｂが列方向Ｂに配列された複数の第２の光ファイバ２Ｂを保持する第２の保持部材３Ｂと、複数の入射端２２ｂに対応して設けられた複数のレンズ部４０ｂを有する第２のレンズ部材４Ｂと、第１及び第２の保持部材３Ａ、３Ｂ同士を結合する図示しないクランプ部材とを備え、第１及び第２の光ファイバ２Ａ、２Ｂ同士を光学的に結合するものである。
【００１６】
また、光コネクタ１は、第１及び第２の保持部材３Ａ、３Ｂをガイドして位置決めする一対のガイドピン５と、列方向Ｂに設けられ、周囲環境による複数の第１の光ファイバ２Ａの出射端２２ａと第１のレンズ部材４Ａのレンズ部４０ａとの間の列方向Ｂの位置ずれを規制する一対の第１の規制部と、列方向Ｂに設けられ、周囲環境による複数の第２の光ファイバ２Ｂの入射端２２ｂと第２のレンズ部材４Ｂのレンズ部４０ｂとの間の列方向Ｂの位置ずれを規制する一対の第２の規制部とを備える。ここで、複数の第１及び第２の光ファイバ２Ａ、２Ｂは、それぞれ第１及び第２の光学部品の一例である。ガイドピン５は、位置決め部材の一例である。
【００１７】
（光ファイバ）
第１の光ファイバ２Ａの出射端２２ａは、第１の保持部材３Ａの接続面３０ａと同一の面となっている。第２の光ファイバ２Ｂの入射端２２ｂは、第２の保持部材３Ｂの接続面３０ｂと同一の面となっている。複数の第１及び第２の光ファイバ２Ａ、２Ｂは、図１（ｂ）に示すように、列方向Ｂに配列されている。
【００１８】
第１及び第２の光ファイバ２Ａ、２Ｂは、コア２０と、コア２０の周囲に形成され、コア２０の屈折率よりも低い屈折率を有するクラッド２１とを備える。第１及び第２の光ファイバ２Ａ、２Ｂは、コア２０及びクラッド２１が石英ガラスから形成された石英ガラス系光ファイバ、コア２０が石英ガラスから形成され、クラッド２１がプラスチックから形成されたポリマークラッド光ファイバ、コア２０及びクラッド２１がプラスチックから形成されたプラスチック光ファイバ等を用いることができる。本実施の形態では、第１及び第２の光ファイバ２Ａ、２Ｂとして、例えば、外径を８０〜１２５μｍ、コア２０の直径を５０μｍのものを用い、８５０μｍの波長の光信号を伝送する。
【００１９】
（保持部材）
第１の保持部材３Ａは、第１の光ファイバ２Ａを保持するファイバ保持部３１ａと、枠部３２ａとを有する。ファイバ保持部３１ａには、第１の光ファイバ２Ａを挿通させる複数の挿通孔３３ａと、一対の規制穴部３５ａとが形成されている。枠部３２ａには、ガイドピン５が挿入される一対のガイド穴３４ａが形成されている。第２の保持部材３Ｂは、第１の保持部材３Ａと同様に、第２の光ファイバ２Ｂを保持するファイバ保持部３１ｂと、枠部３２ｂとを有する。ファイバ保持部３１ｂには、第２の光ファイバ２Ｂを挿通させる複数の挿通孔３３ｂと、一対の規制穴部３５ｂとが形成されている。枠部３２ｂには、ガイドピン５が挿入される一対のガイド穴３４ｂが形成されている。一対の規制穴部３５ａ、３５ｂは、図１（ｂ）に示すように、第１及び第２の光ファイバ２Ａ、２Ｂの列の両側であって第１及び第２の光ファイバ２Ａ、２Ｂと同一列上に設けられている。
【００２０】
第１及び第２の保持部材３Ａ、３Ｂは、同一の線膨張係数及び吸湿度とするため、同一の材料から形成されているのが好ましく、例えばガラスフィラーと樹脂との混成材料から形成されたフェルールを用いることができる。樹脂として、例えばＰＰＳ（ポリフェニレンスルフィド）等の熱可塑性樹脂、エポキシ樹脂等の熱硬化性樹脂等を用いることができる。
【００２１】
（レンズ部材）
第１及び第２のレンズ部材４Ａ、４Ｂは、板状のベース部４１ａ、４１ｂと、ベース部４１ａ、４１ｂの上面４２ａ、４２ｂ側に列方向Ｂに設けられた上記複数のレンズ部４０ａと、下面４３ａ、４３ｂに設けられた一対の規制軸部４５ａ、４５ｂとを備える。送信側のレンズ部４０ａは、その焦点４４ａが第１の光ファイバ２Ａの出射端２２ａの中心に形成するように構成されている。受信側のレンズ部４０ｂは、その焦点４４ｂが第２の光ファイバの入射端２２ｂの中心に形成するように構成されている。
【００２２】
一対の規制軸部４５ａ、４５ｂは、図１（ｂ）に示すように、レンズ部４０ａの列の両側であってレンズ部４０ａと同一列上に設けられている。送信側の規制軸部４５ａ及び規制穴部３５ａは、第１の規制部の一例であり、受信側の規制軸部４５ｂ及び規制穴部３５ｂは、第２の規制部の一例である。規制軸部４５ａ、４５ｂと規制穴部３５ａ、３５ｂとの関係は、「ゆるみばめ」でも「しまりばめ」でもよい。なお、「しまりばめ」を用いる場合は、規制軸部４５ａ、４５ｂを規制穴部３５ａ、３５ｂに押し込むことになり、規制軸部４５ａ、４５ｂの外周面と規制穴部３５ａ、３５ｂの内周面との間に隙間が生じない。そのため、保持部材３Ａ、３Ｂとレンズ部材４Ａ、４Ｂとがより高精度に位置決めされることになり、光ファイバ２Ａ、２Ｂとレンズ部４０ａ、４０ｂの光軸の精度をより高めることができる。
【００２３】
第１のレンズ部材４Ａのレンズ部４０ａは、図１（ａ）に示すように、第１の光ファイバ２Ａの出射端２２ａから出射された光信号を平行光に整形する光学特性を有する。第２のレンズ部材４Ｂのレンズ部４０ｂは、送信側のレンズ部４０ａから出力された光信号を第２の光ファイバ２Ｂの入射端２２ｂの中心に結像する光学特性を有する。
【００２４】
第１及び第２のレンズ部材４Ａ、４Ｂは、送信する光信号に対して透明な材料、例えばポリエーテルイミド樹脂、ポリカーボネイト樹脂、アクリル樹脂等の材料を用いて、例えば射出成型により形成される。第１の保持部材３Ａの複数の出射端２２ａを有する接続面３０ａと接続面３０ａに対向する第１のレンズ部材４Ａの下面４３ａとは、例えば、紫外線硬化型接着剤等の光学用接着剤６によって接着される。これと同様に、第２の保持部材３Ｂの複数の入射端２２ｂを有する接続面３０ｂと接続面３０ｂに対向する第２のレンズ部材４Ｂの下面４３ａとは、光学用接着剤６によって接着される。また、第１及び第２の保持部材３Ａ、３Ｂの規制穴部３５ａ、３５ｂと規制軸部４５ａ、４５ｂとは、光学用接着剤６により接着され、規制穴部３５ａ、３５ｂの規制軸部４５ａ、４５ｂが挿入されていない領域にも光学用接着剤６が充填されている。
【００２５】
（第１の実施の形態の組立方法）
次に、第１の実施の形態の組立方法の一例について説明する。まず、送信側の複数の第１の光ファイバ２Ａを第１の保持部材３Ａの挿通孔３３ａに挿通した後、第１の光ファイバ２Ａの出射端２２ａ及び第１の保持部材３Ａの接続面３０ａを研磨して同一の面とする。
【００２６】
次に、第１の保持部材３Ａの接続面３０ａに例えば紫外線硬化型の光学用接着剤６を塗布するとともに、規制穴部３５ａに光学用接着剤６を充填する。第１のレンズ部材４Ａの規制軸部４５ａを第１の保持部材３Ａの規制穴部３５ａに挿入し、光学用接着剤６に紫外線を照射して硬化させる。
【００２７】
受信側の第２の光ファイバ２Ｂ、第２の保持部材３Ｂ及び第２のレンズ部材４Ｂも上述したのと同様に組み立てる。次に、送信側の第１の保持部材３Ａと受信側の第２の保持部材３Ｂをガイドピン５により位置決めして嵌合する。以上のようにして光コネクタ１が組み立てられる。
【００２８】
（第１の実施の形態の作用）
次に、第１の実施の形態の作用を説明する。なお、第１及び第２の保持部材３Ａ、３Ｂの線膨張係数よりも第１及び第２のレンズ部材４Ａ、４Ｂの線膨張係数の方が大きいものとする。
【００２９】
図１に示すように、送信側の第１の光ファイバ２Ａによって伝送された光信号は、出射端２２ａから拡散した後、第１のレンズ部材４Ａのレンズ部４０ａによって平行光に整形され、受信側の第２のレンズ部材４Ｂのレンズ部４０ｂによって集光され、入射端２２ｂの中心に結像し、その後受信側の第２の光ファイバ２Ｂによって伝送される。
【００３０】
ここで、温度上昇等の周囲環境の変化があると、第１及び第２のレンズ部材４Ａ、４Ｂは、温度上昇により第１及び第２の保持部材３Ａ、３Ｂに対して相対的に長手方向（図１において上下方向）に延びようとするが、それを規制軸部４５ａ、４５ｂ及び規制穴部３５ａ、３５ｂ並びに光学用接着剤６により規制するようにしたため、光ファイバ２Ａ、２Ｂの光軸とレンズ部４０ａ、４０ｂとの間の光軸ずれが抑制される。このような作用は、第１及び第２の保持部材３Ａ、３Ｂと第１及び第２のレンズ部材４Ａ、４Ｂとの間で吸湿率が異なる場合についてもいえる。また、上記の作用は、第１及び第２の保持部材３Ａ、３Ｂの線膨張係数よりも第１及び第２のレンズ部材４Ａ、４Ｂの線膨張係数の方が小さい場合についてもいえる。
【００３１】
（第１の実施の形態の効果）
第１の実施の形態によれば、第１及び第２のレンズ部材４Ａ、４Ｂと第１及び第２の保持部材３Ａ、３Ｂとの相対的な移動を規制穴部３５ａ、３５ｂ及び規制軸部４５ａ、４５ｂ並びに光学用接着剤６により規制するようにしたので、周囲環境による第１及び第２の光ファイバ２Ａ、２Ｂと第１及び第２のレンズ部材４Ａ、４Ｂのレンズ部４０ａ、４０ｂとの間の光軸ずれを抑制でき、これにより第１の光ファイバ２Ａから第２の光ファイバ２Ｂへの伝送効率の低下を抑制することが可能になる。
【００３２】
［第２の実施の形態］
図２は、本発明の第２の実施の形態に係る光コネクタの概略の構成例を示す断面図である。第１の実施の形態では、第１及び第２の保持部材３Ａ、３Ｂに規制穴部３５ａ、３５ｂを設け、第１及び第２のレンズ部材４Ａ、４Ｂに規制軸部４５ａ、４５ｂを設けたが、本実施の形態は、これとは逆に、第１及び第２の保持部材３Ａ、３Ｂに規制軸部９を設け、第１及び第２のレンズ部材４Ａ、４Ｂに規制穴部４６ａ、４６ｂを設けたものであり、他は第１の実施の形態と同様に構成されている。以下、相違点を中心に説明する。
【００３３】
この光コネクタ１は、第１の実施の形態と同様に、第１及び第２の保持部材３Ａ、３Ｂと、第１及び第２のレンズ部材４Ａ、４Ｂと、一対のガイドピン５とを備える。
【００３４】
第１及び第２の保持部材３Ａ、３Ｂは、第１の実施の形態と同様に、ファイバ保持部３１ａ、３１ｂと、枠部３２ａ、３２ｂとを有する。ファイバ保持部３１ａ、３１ｂには、光ファイバ２Ａ、２Ｂを挿通させる複数の挿通孔３３ａ、３３ｂと、規制軸部９が嵌合される一対の嵌合穴３７ａ、３７ｂとが形成されている。枠部３２ａ、３２ｂには、ガイドピン５が挿入されるガイド穴３４ａ、３４ｂが形成されている。規制軸部９は、金属又は樹脂から形成されている。一対の規制軸部９は、第１及び第２の光ファイバ２Ａ、２Ｂの列の両側であって第１及び第２の光ファイバ２Ａ、２Ｂと同一列上に設けられている。
【００３５】
第１及び第２のレンズ部材４Ａ、４Ｂは、板状のベース部４１ａ、４１ｂと、ベース部４１ａ、４１ｂの上面４２ａ、４２ｂ側に列方向Ｂに設けられた複数のレンズ部４０ａ、４０ｂと、一対の規制穴部４６ａ、４６ｂとを備える。一対の規制穴部４６ａ、４６ｂは、レンズ部４０ａの列の両側であってレンズ部４０ａと同一列上に設けられている。送信側の規制穴部４６ａ及び規制軸部９は、第１の規制部の一例であり、受信側の規制穴部４６ｂ及び規制軸部９は、第２の規制部の一例である。
【００３６】
第１及び第２の保持部材３Ａ、３Ｂの接続面３０ａ、３０ｂと接続面３０ａ、３０ｂに対向する第１及び第２のレンズ部材４Ａ、４Ｂの下面４３ａ、４３ｂとは、例えば、紫外線硬化型接着剤等の光学用接着剤６によって接着される。また、第１及び第２のレンズ部材４Ａ、４Ｂの規制穴部４６ａ、４６ｂと規制軸部９とは、光学用接着剤６により接着される。規制穴部４６ａ、４６ｂと規制軸部９との関係は、「ゆるみばめ」でも「しまりばめ」でもよい。
【００３７】
（第２の実施の形態の効果）
第２の実施の形態によれば、第１及び第２のレンズ部材４Ａ、４Ｂと第１及び第２の保持部材３Ａ、３Ｂとの相対的な移動を規制穴部４６ａ、４６ｂ及び規制軸部９並びに光学用接着剤６により規制するようにしたので、周囲環境による第１及び第２の光ファイバ２Ａ、２Ｂと第１及び第２のレンズ部材４Ａ、４Ｂのレンズ部４０ａとの間の光軸ずれを抑制でき、これにより第１の光ファイバ２Ａから第２の光ファイバ２Ｂへの伝送効率の低下を抑制することが可能になる。
【００３８】
なお、第１及び第２の実施の形態では、第１及び第２の光学部品を光ファイバとしたが、一方の光学部品を光ファイバとし、他方の光学部品を光素子としても、第１及び第２の実施の形態と同様の効果を奏する。
【００３９】
［第３の実施の形態］
図３は、本発明の第３の実施の形態に係る光コネクタの概略の構成例を示す断面図である。第１の実施の形態では、送信側の第１の保持部材３Ａと受信側の第２の保持部材３Ｂをガイドピン５により位置決めしたが、本実施の形態は、送信側の第１のレンズ部材４Ａと受信側の第２のレンズ部材４Ｂをガイドピン５により位置決めしたものである。以下、第１の実施の形態との相違点を中心に説明する。
【００４０】
この光コネクタ１は、第１の実施の形態と同様に、第１及び第２の保持部材３Ａ、３Ｂと、第１及び第２のレンズ部材４Ａ、４Ｂと、一対のガイドピン５とを備える。
【００４１】
第１及び第２の保持部材３Ａ、３Ｂは、第１の実施の形態のような枠部３２ａ、３２ｂを有しておらず、光ファイバ２Ａ、２Ｂを挿通させる複数の挿通孔３３ａ、３３ｂと、一対の規制穴部３５ａ、３５ｂとが形成されている。
【００４２】
第１及び第２のレンズ部材４Ａ、４Ｂは、板状のベース部４１ａ、４１ｂと、ベース部４１ａ、４１ｂの上面４２ａ、４２ｂ側に設けられた複数のレンズ部４０ａ、４０ｂと、下面４３ａ、４３ｂに設けられた一対の規制軸部４５ａ、４５ｂと、枠部４８ａ、４８ｂとを備える。枠部４８ａ、４８ｂには、ベース部４１ａ、４１ｂを貫通するようにガイド穴４９ａ、４９ｂが形成されている。
【００４３】
第１及び第２の保持部材３Ａ、３Ｂの接続面３０ａ、３０ｂと接続面３０ａ、３０ｂに対向する第１及び第２のレンズ部材４Ａ、４Ｂの下面４３ａ、４３ｂとは、例えば、紫外線硬化型接着剤等の光学用接着剤６によって接着される。また、第１及び第２のレンズ部材４Ａ、４Ｂの規制軸部４５ａ、４５ｂと規制穴部３５ａ、３５ｂとは、光学用接着剤６により接着される。
【００４４】
（第３の実施の形態の効果）
第３の実施の形態によれば、第１の実施の形態と同様に、周囲環境による第１及び第２の光ファイバ２Ａ、２Ｂと第１及び第２のレンズ部材４Ａ、４Ｂのレンズ部４０ａ、４０ｂとの間の光軸ずれを抑制できるとともに、第１及び第２の保持部材３Ａ、３Ｂの接続面３０ａ、３０ｂの研磨が容易になる。
【００４５】
（変形例１）
図４（ａ）〜（ｃ）は、それぞれ規制部の変形例１を示し、図１（ｂ）に対応する図である。なお、図４（ａ）〜（ｃ）は、送信側の構成を図示するが、受信側の構成も送信側と同様に構成されている。
【００４６】
変形例１の光コネクタは、図４（ａ）〜（ｃ）に示すように、第１の光ファイバ２Ａ及びレンズ部４０ａを行方向及び列方向Ｂに２次元状に配列したものである。この場合において、規制部としての規制穴部３５ａ及び規制軸部４５ａは、図４（ａ）に示すように、第１の光ファイバ２Ａ及びレンズ部４０ａの列の両側であって同じ列上にそれぞれ設けてもよく、図４（ｂ）に示すように、第１の光ファイバ２Ａ及びレンズ部４０ａの列の両側であって列間に設けてもよく、図４（ｃ）に示すように、第１の光ファイバ２Ａ及びレンズ部４０ａの列の両側であって複数の列のいずれかの列上に設けてもよい。図４（ｃ）では、規制穴部３５ａ及び規制軸部４５ａを１列置きに設けたが、複数列置きに設けてもよい。
【００４７】
（変形例２）
図５は、規制部の変形例２を示し、図１（ｂ）に対応する図である。なお、図５は、送信側の構成を図示するが、受信側の構成も送信側と同様に構成されている。
【００４８】
変形例２の規制部は、上記各実施の形態のように規制軸部と規制穴部の組合せではなく、線膨張係数又は吸湿率が高い方の部材、例えば第１のレンズ部材４Ａの長手方向の端面４７ａに接触する一対の規制突部３６を第１の保持部材３Ａに設けたものである。この場合は、組立時の温度又は湿度を使用時の温度又は湿度よりも低く設定できる場合に有効となる。
【００４９】
以上、本発明の実施の形態を説明したが、本発明は上記の実施の形態に限定されるものではなく、本発明の要旨を変更しない範囲内で種々の変形、実施が可能である。例えば、第１及び第２の実施の形態では、規制穴部と規制軸部とを光学用接着剤によって接着したが、光学用接着剤とは異なる種類の接着剤により接着してもよい。
【００５０】
また、上記第１及び第２の実施の形態では、ガイドピン５を第１及び第２の保持部材３Ａ、３Ｂとは別部材で構成したが、ガイドピンを第１又は第２の保持部材３Ａ、３Ｂと一体的に形成してもよい。
【００５１】
また、規制穴部と規制軸部とを接着剤で接着する際、規制穴部と規制軸部とを嵌合した後、両者を接着剤で接着してもよい。
【００５２】
また、例えば本発明の要旨を変更しない範囲内で、上記実施の形態の構成要素の一部を省くことや変更することが可能である。例えば、上記実施の形態では、第１及び第２の保持部材の接続面と第１及び第２のレンズ部材の下面とを光学用接着剤で接着したが、光学用接着剤を用いずにクランプ部材等の他の部材を用いて両者を接触させてもよい。
【符号の説明】
【００５３】
１…光コネクタ、２…光ファイバ（第２の光学部品）、２Ａ…第１の光ファイバ（第１の光学部品）、２Ｂ…第２の光ファイバ（第２の光学部品）、３Ａ…第１の保持部材、３Ｂ…第２の保持部材、４Ａ…第１のレンズ部材、４Ｂ…第２のレンズ部材、５…ガイドピン（位置決め部材）、６…光学用接着剤、９…規制軸部（規制部）、２０…コア、２１…クラッド、２２ａ…出射端、２２ｂ…入射端、３０ａ、３０ｂ…接続面、３１ａ、３１ｂ…ファイバ保持部、３２ａ、３２ｂ…枠部、３３ａ、３３ｂ…挿通孔、３４ａ、３４ｂ…ガイド穴、３５ａ、３５ｂ…規制穴部（規制部）、３６…規制突部、３７ａ、３７ｂ…嵌合穴、４０ｂ…レンズ部、４１ａ、４１ｂ…ベース部、４２ａ、４２ｂ…上面、４３ａ、４３ｂ…下面、４４ａ、４４ｂ…焦点、４５ａ、４５ｂ…規制軸部（規制部）、４６ａ、４６ｂ…規制穴部（規制部）、４７ａ…端面、４８ａ、４８ｂ…枠部、４９ａ、４９ｂ…ガイド穴
【図１】
2014182341.tif 000003
【図２】
2014182341.tif 000004
【図３】
2014182341.tif 000005
【図４】
2014182341.tif 000006
【図５】
2014182341.tif 000007